(57)【要約】【課題】特に薄い用紙２などにパンチ孔を開ける場合に、そのパンチカスを確実に吸い込み可能で、用紙２に複数個のパンチ孔を開ける場合にも、そのパンチ孔の部位や数にかかわらず、融通性をもってパンチカスを用紙２から分離して吸い込み回収可能な用紙のパンチカス吸込み装置を提供すること。【解決手段】従来のようにダイカット部のダイロール部分においてパンチカスの回収を行わずに、分離吸込みボックス２４に吸込み用貫通孔２６を均等に分散して形成することに着目したもので、パンチカスを吸い込み可能な吸込み用貫通孔２６を形成した分離吸込みボックス２４と、分離吸込みボックス２４からパンチカスを吸引するための吸引用パイプ２５と、を設け、吸込み用貫通孔２６は用紙２の幅方向に沿って分離吸込みボックス２４にこれを複数個形成すると共に、分離吸込みボックス２４の用紙２への対向面において、これを均等に分散して形成したことを特徴とする。【選択図】図３
2009220223.tif 000002
【特許請求の範囲】
【請求項１】
ダイカット部により帯状の用紙に開けられたパンチ孔からそのパンチカスを分離して吸い込むための用紙のパンチカス吸込み装置であって、
前記ダイカット部の下流側において前記用紙に対向して位置させるとともに、前記パンチカスを吸い込み可能な吸込み用貫通孔を形成した分離吸込みボックスと、
この分離吸込みボックスに接続するとともに、この分離吸込みボックスから前記吸込み用貫通孔を介して前記パンチカスを吸引するための吸引用パイプと、
を設け、
前記吸込み用貫通孔は、前記用紙の幅方向に沿って前記分離吸込みボックスにこれを複数個形成するとともに、前記分離吸込みボックスの前記用紙への対向面において、これを均等に分散して形成したことを特徴とする用紙のパンチカス吸込み装置。
【請求項２】
前記吸込み用貫通孔は、
前記用紙の幅方向に沿って多列にこれを並列形成したことを特徴とする請求項１記載の用紙のパンチカス吸込み装置。
【請求項３】
前記吸込み用貫通孔は、
前記用紙の幅方向に沿ってジグザグ状にこれを配列したことを特徴とする請求項１記載の用紙のパンチカス吸込み装置。
【発明の詳細な説明】
【技術分野】
【０００１】
本発明は用紙のパンチカス吸込み装置にかかるもので、とくに用紙に開けられたパンチ孔からそのパンチカスを分離して吸い込むための用紙のパンチカス吸込み装置に関するものである。
【背景技術】
【０００２】
従来の用紙のパンチカス吸込み装置について、図６および図７にもとづき概説する。
図６は、孔あき用紙の製造装置１の概略側面図であって、孔あき用紙の製造装置１は、必要な内容の印刷を行うとともに、たとえばファイル用の孔（パンチ孔８）を開けるためのもので、用紙２の供給部３と、印刷部４と、ダイカット部５と、用紙２の巻取り部６と、を有する。
【０００３】
供給部３は、たとえば糊を塗布していない帯状の用紙２をロール状に保持し、下流側の移送方向すなわち印刷部４方向に向かって用紙２を帯状に繰り出し可能である。
印刷部４は、用紙２に必要な印刷内容７を印刷する。
【０００４】
ダイカット部５は、用紙２の幅方向において必要部位に必要個数（たとえば図示の例では、一枚あたり四個）のパンチ孔８を開けるもので、ダイロール９と、アンビルロール１０（ダイ受けロール）と、パンチカス吸込み装置１１と、を有する。
図７は、ダイカット部５の部分の、とくにダイロール９部分を断面した断面説明図であって、ダイロール９は、その円周方向に上記パンチ孔８の形成位置に合わせて所定間隔および所定角度間隔でパンチ用貫通孔１２を形成し、その外部開口部にそれぞれカット刃１３を突出形成しているとともに、中央部に吸引通路１４を形成し、吸引用パイプ１５を介して真空吸引可能な吸引器１６に接続している。
【０００５】
パンチカス吸込み装置１１は、上述したダイロール９のパンチ用貫通孔１２、吸引通路１４、吸引用パイプ１５および吸引器１６を有する。
【０００６】
こうした構成の孔あき用紙の製造装置１およびパンチカス吸込み装置１１において、ダイカット部５におけるダイロール９およびアンビルロール１０によりパンチ孔８を形成し、カットしたパンチカス１７をダイロール９自体のパンチ用貫通孔１２および吸引通路１４から吸引用パイプ１５を介して吸引器１６に回収している。
【０００７】
しかしながら、とくに用紙２の厚さが薄い場合には、パンチカス１７がパンチ用貫通孔１２に入り込んでいかず、これを用紙２のパンチ孔８から完全に分離回収することが困難であり、最終製品としての用紙２のロールに混入してしまう危険性があり、パンチカス吸込み装置１１としての性能が安定しないという問題がある。
【０００８】
さらに、用紙２の厚さや材質などの種類およびそのサイズ、ならびにパンチ孔８の位置や数などに応じて融通性のある吸引特性を得ることが困難であるという問題がある。
【０００９】
【特許文献１】特開平１０−１５７７１５号公報
【発明の開示】
【発明が解決しようとする課題】
【００１０】
本発明は以上のような諸問題にかんがみなされたもので、用紙からのパンチカスを安定して回収可能な用紙のパンチカス吸込み装置を提供することを課題とする。
【００１１】
また本発明は、とくに薄い用紙などにパンチ孔を開ける場合に、そのパンチカスを確実に吸い込み可能である用紙のパンチカス吸込み装置を提供することを課題とする。
【００１２】
また本発明は、用紙に複数個のパンチ孔を開ける場合にも、そのパンチ孔の部位にかかわらず、すべてのパンチカスを用紙から分離して吸い込み回収可能な用紙のパンチカス吸込み装置を提供することを課題とする。
【００１３】
また本発明は、用紙の厚さや材質などの種類およびそのサイズ、ならびにパンチ孔の位置や数などにかかわらず、すべてのパンチカスを用紙から分離して吸い込み回収可能な用紙のパンチカス吸込み装置を提供することを課題とする。
【課題を解決するための手段】
【００１４】
すなわち本発明は、従来のようにダイカット部のダイロール部分においてパンチカスの回収を行わずに、パンチカスを吸い込み可能な吸込み用貫通孔を形成した分離吸込みボックスをダイカット部の下流側に設けること、および吸込み用貫通孔を均等に分散して形成することに着目したもので、ダイカット部により帯状の用紙に開けられたパンチ孔からそのパンチカスを分離して吸い込むための用紙のパンチカス吸込み装置であって、上記ダイカット部の下流側において上記用紙に対向して位置させるとともに、上記パンチカスを吸い込み可能な吸込み用貫通孔を形成した分離吸込みボックスと、この分離吸込みボックスに接続するとともに、この分離吸込みボックスから上記吸込み用貫通孔を介して上記パンチカスを吸引するための吸引用パイプと、を設け、上記吸込み用貫通孔は、上記用紙の幅方向に沿って上記分離吸込みボックスにこれを複数個形成するとともに、上記分離吸込みボックスの上記用紙への対向面において、これを均等に分散して形成したことを特徴とする用紙のパンチカス吸込み装置である。
【００１５】
上記吸込み用貫通孔は、上記用紙の幅方向に沿って多列にこれを並列形成することができる。
【００１６】
上記吸込み用貫通孔は、上記用紙の幅方向に沿ってジグザグ状にこれを配列することができる。
【発明の効果】
【００１７】
本発明による用紙のパンチカス吸込み装置においては、分離吸込みボックスの用紙への対向面（上面）側に形成する吸込み用貫通孔を、用紙の幅方向に沿って複数個形成するとともに、均等に分散して形成したので、用紙のデザインによってパンチ孔の位置や数が変わっても、単一の分離吸込みボックスで対応可能であり、融通性のある吸引特性を得ることができる。
【発明を実施するための最良の形態】
【００１８】
本発明は、分離吸込みボックスにおける吸込み用貫通孔の形成形態を用紙の移送方向および幅方向に沿って多重構成としたので、用紙の厚さやデザイン、印刷加工速度その他の条件が変わっても安定した、かつ融通性のあるパンチカスの吸込み性能を確保可能な用紙のパンチカス吸込み装置を実現した。
【実施例】
【００１９】
つぎに本発明の実施例による用紙のパンチカス吸込み装置を図１ないし図４にもとづき説明する。ただし、図６および図７と同様の部分には同一符号を付し、その詳述はこれを省略する。
図１は、孔あき用紙の製造装置２０の概略側面図であり、孔あき用紙の製造装置２０は、用紙２の前記供給部３と、前記印刷部４と、前記ダイカット部５に相当するダイカット部２１と、上記実施例による用紙２のパンチカス吸込み装置２２と、用紙２の前記巻取り部６と、を有する。
【００２０】
ダイカット部２１は、用紙２の必要部位に必要個数のパンチ孔８を開けるもので、ダイロール２３と、アンビルロール１０（ダイ受けロール）と、を有し、図６および図７に示した従来の前記ダイロール９および前記パンチカス吸込み装置１１を設けてはいない。
図２は、ダイカット部２１の部分の、とくにダイロール２３部分を断面した断面説明図であって、ダイロール２３は中実のロール体であるが、前記ダイロール９と同様に、その円周方向に上記パンチ孔８の形成位置に合わせて所定間隔および所定角度間隔で前記カット刃１３を突出形成している。
【００２１】
パンチカス吸込み装置２２は、帯状の用紙２にパンチ孔８を開けた結果形成されるパンチカス１７を用紙２のパンチ孔８から分離して吸い込むためのものであって、分離吸込みボックス２４と、吸引用パイプ２５と、前記吸引器１６と、を有する。
【００２２】
図３は、分離吸込みボックス２４の平面図、図４は、図３のＩＶ−ＩＶ線断面図であって、分離吸込みボックス２４は、用紙２の幅方向に延びている中空の細長い直方体であって、用紙２の下面側に対向して位置させるとともに、パンチカス１７を吸い込み可能に前記パンチ孔８の数および位置に応じて必要な複数個の吸込み用貫通孔２６をその対向面（上面）に形成している。
【００２３】
吸込み用貫通孔２６は、用紙２の幅方向に沿って分離吸込みボックス２４にこれを複数個形成する。
ただし、吸込み用貫通孔２６は、分離吸込みボックス２４の用紙２への対向面における吸引用パイプ２５の接続部２７の間において、これを均等に分散して形成している。
たとえば、吸込み用貫通孔２６は、用紙２の幅方向に沿って多列（図示の例では二列）にこれを並列形成するとともに、それぞれの列における配置位置を変えて、用紙２の幅方向に沿ってジグザグ状にこれを配列している。
なお、吸込み用貫通孔２６自体は、パンチカス１７の直径よりはるかに大きな直径で開口しているテーパー孔部２６Ａと、テーパー孔部２６Ａに連続して分離吸込みボックス２４の吸込み空間２８につながっている連通孔部２６Ｂと、からなっており、パンチカス１７を吸込み空間２８に吸引しやすくしている。
さらに、吸込み用貫通孔２６のテーパー孔部２６Ａの外形線が、用紙２の移送方向に延びる移送線Ｆに対して互いに少なくとも接していることにより、多列状の吸込み用貫通孔２６の群が用紙２の面積部分を覆って、用紙２に形成するパンチ孔８がどの位置にあっても、いずれかの吸込み用貫通孔２６に吸引されてゆく可能性があるようにすることが望ましい。
【００２４】
吸引用パイプ２５は、分離吸込みボックス２４の左右端部付近の接続部２７に、その一対をそれぞれ接続するとともに、この分離吸込みボックス２４から吸込み用貫通孔２６を介して吸引器１６がパンチカス１７を吸引するためものである。
【００２５】
こうした構成の孔あき用紙の製造装置２０およびパンチカス吸込み装置２２において、ダイカット部２１においてカットされたパンチカス１７は、まだこのカット工程では用紙２と一体的であり、パンチカス吸込み装置２２に至って分離吸込みボックス２４の吸込み用貫通孔２６の部分において分離吸込みボックス２４内に負圧により吸引されて用紙２から分離回収されることになる。
【００２６】
とくに図３に示すように、吸込み用貫通孔２６が用紙２の移送方向に沿って、上流側および下流側に二列にジグザグ状に形成されているので、用紙２の移送にともなってパンチ孔８ないしそのパンチカス１７自体がいずれかの吸込み用貫通孔２６における吸引作用を受けることになるので、確実かつ安定して用紙２からパンチカス１７を吸引除去することができる。
したがって、用紙２の種類、用紙２におけるパンチ孔の位置や数にかかわらず、パンチカス１７は、いずれかの吸込み用貫通孔２６から吸引されるため、単一の分離吸込みボックス２４であっても、各種のパターンにデザインされた用紙２におけるパンチ孔８からのパンチカス１７が確実に吸引されて用紙２から分離回収されることになる。
【００２７】
なお本発明においては、分離吸込みボックス２４に対する吸引用パイプ２５ないしその接続部２７の配置位置は任意である。
たとえば、図５は、吸込み用貫通孔２６および接続部２７の形成位置の変形例を示す分離吸込みボックス２４の、図４と同様の断面図であって、図３および図４の例とは逆に、吸引用パイプ２５の接続部２７の一対を分離吸込みボックス２４の中央部下面に配置してある。
【００２８】
こうした構成の変形例においても、パンチカス１７を用紙２（パンチ孔８）から分離回収するにあたって、パンチカス１７は、いずれかの吸込み用貫通孔２６から吸引されるため、単一の分離吸込みボックス２４により、すべてのパンチカス１７が確実に吸引されて用紙２から分離回収されることになる。
とくに、ダイカット部２１において、ダイロール２３およびアンビルロール１０の軸受け部分でカットのための押圧力を付与するように構成しているので、ダイロール２３およびアンビルロール１０の中央部では両端部に比較して押圧力がわずかに低く、パンチカス１７が抜けにくいという可能性がある場合であっても、分離吸込みボックス２４の中央部下面に吸引用パイプ２５の接続部２７を接続することにより、中央部のパンチカス１７が比較的強い負圧吸引作用を受けることができる。
【図面の簡単な説明】
【００２９】
【図１】本発明の本発明の実施例による用紙のパンチカス吸込み装置２２を有する孔あき用紙の製造装置２０の概略側面図である。
【図２】同、ダイカット部２１の部分の、とくにダイロール２３部分を断面した断面説明図である。
【図３】同、分離吸込みボックス２４の平面図である。
【図４】同、図３のＩＶ−ＩＶ線断面図である。
【図５】同、吸込み用貫通孔２６および接続部２７の形成位置の変形例を示す分離吸込みボックス２４の断面図である。
【図６】従来の孔あき用紙の製造装置１の概略側面図である。
【図７】同、ダイカット部５の部分の、とくにダイロール９部分を断面した断面説明図である。
【符号の説明】
【００３０】
１  孔あき用紙の製造装置（従来、図６）
２  用紙
３  供給部
４  印刷部
５  ダイカット部
６  巻取り部
７  印刷内容
８  パンチ孔
９  ダイロール
１０  アンビルロール
１１  パンチカス吸込み装置（従来、図７）
１２  パンチ用貫通孔
１３  カット刃
１４  吸引通路
１５  吸引用パイプ
１６  吸引器
１７  パンチカス
２０  孔あき用紙の製造装置（図１）
２１  ダイカット部
２２  用紙２のパンチカス吸込み装置（実施例、図３、図４）
２３  ダイロール
２４  分離吸込みボックス
２５  吸引用パイプ
２６  吸込み用貫通孔
２６Ａ  吸込み用貫通孔２６のテーパー孔部
２６Ｂ  吸込み用貫通孔２６の連通孔部
２７  吸引用パイプ２５の接続部
２８  分離吸込みボックス２４の吸込み空間
Ｆ    用紙２の移送方向に延びる移送線（図３）
【図１】
2009220223.tif 000003
【図２】
2009220223.tif 000004
【図３】
2009220223.tif 000005
【図４】
2009220223.tif 000006
【図５】
2009220223.tif 000007
【図６】
2009220223.tif 000008
【図７】
2009220223.tif 000009